(57)【特許請求の範囲】
【請求項１】
加熱軟化したガラス素材を上型および下型よりなる成形型で押圧成形する光学素子の成形方法において、
水平方向へ摺動可能なツメを有するガラス素材保持部材により前記成形型の直径よりも小さな径のガラス素材を保持して加熱軟化する工程と、
前記下型の上昇に伴って、前記下型が前記ガラス素材に接触する前に前記ツメが開くことにより、前記ガラス素材を下型の成形面上に載置する工程と、
前記ガラス素材を前記上型と下型で押圧成形する工程と、
を有することを特徴とする光学素子の成形方法。
【請求項２】
前記ガラス素材が所望する光学素子の直径よりも小さな径であることを特徴とする請求項１記載の光学素子の成形方法。
【請求項３】
加熱軟化したガラス素材を上型および下型よりなる成形型で押圧成形する光学素子の成形方法において、
水平方向へ別々に移動可能な２つのガラス素材搬送部材間に前記成形型の直径よりも小さな径のガラス素材を保持して加熱軟化する工程と、
前記下型の上昇に伴って、前記下型が前記ガラス素材に接触する前に前記ガラス素材搬送部材が離反する方向に移動することにより、前記ガラス素材を下型の成形面上に載置する工程と、
前記ガラス素材を前記上型と下型で押圧成形する工程と、
を有することを特徴とする光学素子の成形方法。
【発明の詳細な説明】
【０００１】
【発明の属する技術分野】
本発明は、加熱軟化したガラス素材を上下一対の成形型により押圧成形する光学素子の成形方法に関する。
【０００２】
【従来の技術】
従来、加熱軟化したガラス素材を成形型により押圧成形して光学素子を得る成形方法として、例えば特開平６−１００３２１号公報に記載される発明がある。上記発明は、ガラス素材を真空吸着してガラス素材保持部材に載置し、ガラス素材保持部材にてガラス素材を上下一対の成形型間に搬送し、押圧成形することにより所望の光学素子を得るものである。
【０００３】
上記発明で用いるガラス素材保持部材は、図１５に示すように、筒形状のガラス素材保持部材９１の内径部には段部９１ａが形成されている。段部９１ａには上型９３および下型９４から成る成形型の下型９４を通すため、成形型９４の外径よりも大きな径の型通し孔９５が形成されている。この段部９１ａに下型９４の外径よりも大きな径であるガラス素材９２の非光学的有効面が載置されることにより、光学的有効面が開放された状態でガラス素材９２は保持される。
【０００４】
【発明が解決しようとする課題】
しかしながら、前記従来技術には以下のような問題がある。
すなわち、前記従来技術で用いるガラス素材保持部材はガラス素材の光学的有効面の外周部である非光学的有効面でガラス素材を保持する構成となっている。
【０００５】
そのため、成形されるガラス素材は少なくとも光学的有効面よりも大きな径で且つ成形型の外径よりも大きくなければならない。従って、必要以上に大きな径のガラス素材を用意しなければならず、ガラス素材の材料費が高くなるという問題点があった。また、成形後に芯取りをして光学素子の外径を加工する際の削り代が大きくなり、加工費も高くなるという問題点があった。
【０００６】
請求項１の課題は、ガラス素材保持部材へ設置するのに必要なガラス素材外周部を不要とし、成形品外周部の余計な部分（以下、駄肉部という）を少なくできる成形方法の提供にある。
【０００７】
請求項２の課題は、所望する光学素子の直径よりも小さな径のガラス素材を用いることにより、駄肉部を極力小さくできる成形方法の提供にある。
【０００８】
請求項３の課題は、ガラス素材保持部材を用いずにガラス素材の搬送を行うとともに、ガラス素材外周部の駄肉部を少なくできる成形方法の提供にある。
【０００９】
【課題を解決するための手段】
請求項１の発明は、加熱軟化したガラス素材を上型および下型よりなる成形型で押圧成形する光学素子の成形方法において、水平方向へ摺動可能なツメを有するガラス素材保持部材により前記成形型の直径よりも小さな径のガラス素材を保持して加熱軟化する工程と、前記下型の上昇に伴って、前記下型が前記ガラス素材に接触する前に前記ツメが開くことにより、前記ガラス素材を下型の成形面上に載置する工程と、前記ガラス素材を前記上型と下型で押圧成形する工程と、を有することを特徴とする光学素子の成形方法である。
【００１０】
請求項１の発明においては、成形型の直径よりも小さな径のガラス素材が水平方向へ摺動可能なツメを有したガラス素材保持部材に載置され、加熱炉内に搬送される。ガラス素材は加熱炉内でガラス素材の転移点以上・屈伏点以下の温度に加熱軟化され、成形可能な粘度になる。加熱軟化されたガラス素材はガラス素材保持部材により上下一対の成形型間に搬送され、次いで下型が上昇する。この下型の上昇に合わせてガラス素材保持部材のツメが成形型の直径よりも外側に開き、ガラス素材は下型の成形面上に載置される。この状態でさらに下型が上昇し、上下の成形型によって押圧成形が行われる。
【００１１】
請求項２の発明は、前記ガラス素材が所望する光学素子の直径よりも小さな径であることを特徴とする請求項１記載の光学素子の成形方法である。
【００１２】
請求項２の発明においては、まず所望とする光学素子の直径よりも小さな径のガラス素材を用意する。このガラス素材を水平方向へ摺動可能なツメを有したガラス素材保持部材に載置し、加熱炉内に搬送して成形可能な粘度に加熱軟化する。加熱軟化されたガラス素材はガラス素材保持部材により上下一対の成形型間に搬送され、次いで下型が上昇する。この下型の上昇に合わせてガラス素材保持部材のツメが成形型の直径よりも外側に開き、ガラス素材は下型の成形面上に載置される。この状態でさらに下型が上昇し、上下の成形型によって押圧成形が行われる。この時、ガラス素材は押圧されることで外径が大きくなり、所望とする光学素子の直径よりも大きな径になる。
【００１３】
請求項３の発明は、加熱軟化したガラス素材を上型および下型よりなる成形型で押圧成形する光学素子の成形方法において、水平方向へ別々に摺動可能な前後のガラス素材搬送部材間に前記成形型の直径よりも小さな径のガラス素材を保持して加熱軟化する工程と、前記下型の上昇に伴って、前記下型が前記ガラス素材に接触する前に前記ガラス素材搬送部材が離反する方向に移動することにより、前記ガラス素材を下型の成形面上に載置する工程と、前記ガラス素材を前記上型と下型で押圧成形する工程と、を有することを特徴とする光学素子の成形方法である。
【００１４】
請求項３の発明においては、成形型の直径よりも小さな径のガラス素材が水平方向へ別々に摺動可能な前後のガラス搬送部材間に保持され、加熱炉内で加熱軟化される。その後、前後のガラス素材搬送部材が一緒に前進してガラス素材は成形型間に搬送され、次いで下型が上昇する。この下型の上昇に合わせて前後のガラス素材搬送部材がそれぞれ成形型の直径よりも外側に移動し、ガラス素材を下型の成形面上に載置する。この状態でさらに下型が上昇し、上下の成形型によって押圧成形が行われる。
【００１５】
【発明の実施の形態】
（発明の実施の形態１）
図１は本発明の実施の形態で用いるガラス素材保持部材の平面図、図２は同縦断面図、図３は同部分斜視図、図４は本発明の実施の形態で用いる成形装置の概略構成図、図５〜図９は一部を省略した成形工程図である。
【００１６】
保持部材１には水平方向へ摺動自在な２個のツメ２が対向配設されている。ツメ２の先端はガラス素材の直径に合わせた曲面に形成され、ガラス素材を載置できるように段部２ａが設けられている。ツメ２の後端には保持部材１との間にセラミックス等のような高温部でも使用できるバネ３が設けられており、常時ツメ２を先端側（内側）へ付勢している。
【００１７】
ツメ２は保持部材１に設けられた溝４をガイドにして水平方向へ移動可能となっているが、溝４の端に設けたストッパ４ａによってツメ２の内側に押される位置が規制されている。従って、ツメ２が最も内側に押された状態の位置では、向かい合った２個のツメ２の間隔はガラス素材の直径よりも僅かに大きくなるように構成されている。また、ツメ２の下面には突起部５が垂設されており、突起部５の下端には内側が高く外側の低いテーパ面５ａが形成されている。
【００１８】
保持部材１の中心には下型が通過できるように孔１ａが設けられている。
それぞれを形成する材質としては、保持部材１にタングステン合金（線膨張係数６．３５×１０-6）を使用し、ツメ２にはそれよりも線膨張係数の小さいタングステン合金（５．２５×１０-6）を使用する。
これにより、保持部材１を加熱してもツメ２は滑らかに移動することが可能となる。
【００１９】
次に、本発明の実施の形態で用いる成形装置を説明する。
成形装置は隣設された加熱炉６と成形室７とから構成されている。加熱炉６内にはヒーター８が設けられている。成形室７内には上型９，下型１０および保持部材固定突起１１が設けられている。成形室７上部下面の中央付近には上型９が固定されており、上型９の近傍には保持部材固定突起１１が垂設されている。
【００２０】
下型１０は上下方向へ摺動可能に支持されている。下型１０の下部にはテーパ面１０ａが設けられており、該テーパ面１０ａは前記ツメ２の突起部５のテーパ面５ａと同様な角度に形成されている。
成形されるガラス素材１２はその直径が成形型９，１０の直径よりも小さなものを用意する。ガラス素材１２は保持部材１に載置され、水平方向に摺動可能な搬送部材１３によって加熱炉６内および成形室７内へ搬送される。
【００２１】
以上の構成からなる成形装置を用いての成形方法は、まずガラス素材１２を搬送部材１３上に設置された保持部材１の２個のツメ２の段部２ａに載置する。その後、ガラス素材１２を載置した保持部材１は搬送部材１３によって加熱炉６内へ搬送される。加熱炉６内では、ヒーター８によってガラス素材１２は成形可能な粘度に加熱される。加熱終了後、搬送部材１３は成形室７内へ前進し、保持部材１が上下の成形型９，１０の間に搬送され、ここでガラス素材１２は押圧成形される。
【００２２】
成形室７内では、下型１０の上昇に合わせて保持部材１のツメ２およびガラス素材１２は以下のような動きをする。
下型１０が上昇を始めると（図５参照）、まず下型１０のテーパ面１０ａがツメ２の突起部５のテーパ面５ａに当接して保持部材１を持ち上げる。保持部材１の上昇により、その上面が成形室７内に固定された保持部材固定突起１１の下面に当接し、保持部材１の上昇が規制される（図６参照）。
【００２３】
さらに、下型１０が上昇すると、下型１０のテーパ面１０ａによって保持部材１のツメ２が外側に広げられる（図７参照）。ツメ２が外側に開くと、ツメ２の段部２ａに載置されたガラス素材１２は落下し、ガラス素材１２は下型１０の成形面１０ｂ上に載置される（図８参照）。ガラス素材１２を載置した状態で下型１０が上昇を続けると、保持部材１のツメ２はさらに外側に開き、ツメ２の先端は成形型９，１０の外側に退避する。その後、下型１０がさらに上昇することによりガラス素材１２が上型９に接触し、上下の成形型９，１０によって押圧成形される（図９参照）。
【００２４】
以上の成形方法により、本発明の実施の形態ではガラス素材としてＢＡＬ４１（転移点５３５℃，屈伏点５５９℃）を成形した。
所望する光学素子の直径は１３ｍｍであり、成形型９，１０の直径は１７ｍｍに加工してある。ガラス素材１２は所望の光学素子の近似形状である曲率半径ｒ＝４５，直径１５ｍｍ，厚さ４ｍｍに形成してある。このガラス素材１２を保持部材１に載置して加熱炉６内に搬送し、５５０℃程度に加熱する。
【００２５】
加熱後、ガラス素材１２を成形室７内に搬送して上下の成形型９，１０により押圧成形を行う。この時、保持部材１のツメ２が外側に開くことにより、成形型９，１０の直径よりも小さな径のガラス素材１２を成形することができる。
成形後、成形されたガラス素材１２を取り出し、直径が１３ｍｍとなるように芯取りを行い、所望の光学素子を得る。
【００２６】
本発明の実施の形態によれば、成形時にガラス素材を保持する保持部材のツメが成形型の外側へ退避するようにしたことで、成形型の直径よりも小さな径のガラス素材を成形できる。因って、成形品外周部の余計な部分である駄肉部を少なくすることができ、ガラス素材の材料費および成形後の芯取り加工時の加工費を削減することができる。
【００２７】
尚、ガラス素材１２を保持する保持部材１の構成を本発明の実施の形態のみに限定するものではなく、例えば摺動可能なツメを３方向に設けて構成しても良い。また、成形前のガラス素材１２の形状も、両面を球面に加工したものの他に、両面が平面のガラス素材や球状のガラス素材でも良い。
【００２８】
（発明の実施の形態２）
通常、成形前のガラス素材の直径は所望する光学素子の直径よりも大きなものである。本発明の実施の形態で用いるガラス素材の直径は、成形型の直径よりも小さく、さらに所望する光学素子の直径よりも小さなものを用いる。
本発明の実施の形態で用いる保持部材や成形装置の構成は前記発明の実施の形態１と同様であり、構成の説明を省略する。
【００２９】
本発明の実施の形態の成形方法は、前記発明の実施の形態１と同様に行われる。すなわち、ガラス素材は加熱炉で加熱軟化された後、成形室に搬送されて下型の成形面上に設置される。その後、保持部材が成形型の外側に退避して上下の成形型によって押圧成形される。この時、所望する光学素子の直径よりも小さな径のガラス素材は、上下の成形型で押圧されることでその直径が大きくなる。従って、所望する光学素子の直径よりも僅かに大きな成形品が得られる。
【００３０】
以下、本発明の実施の形態の成形方法を用い、ガラス素材としてＢＡＬ４１（転移点５３５℃，屈伏点５５９℃）を成形した場合を述べる。
所望する光学素子の直径は１３ｍｍであり、成形型の直径は１７ｍｍに加工してある。ガラス素材は所望の光学素子の近似形状である曲率半径ｒ＝４５，厚さ４ｍｍとし、直径を所望する光学素子の直径よりも０．１ｍｍ小さい１２．９ｍｍとする。このガラス素材を保持部材に載置して加熱炉内に搬送し、５５０℃程度に加熱する。
【００３１】
加熱後、ガラス素材を成形室に搬送して上下の成形型により押圧成形を行う。この押圧成形時に保持部材のツメが外側へ開くため、成形型の直径よりも小さな径のガラス素材を成形することができる。この時、ガラス素材の直径は押圧されることで１３．２ｍｍまで広がる。成形後、ガラス素材を取り出してその直径が１３ｍｍとなるように芯取りを行い、所望の光学素子を得る。
【００３２】
本発明の実施の形態によれば、所望する光学素子の直径よりも小さな径のガラス素材を用い、成形品の直径が所望する光学素子の直径よりも僅かに大きくなるように成形する。因って、成形のために用意するガラス素材の材料を最小限に少なくすることができ、材料費を削減することができる。また、成形後に芯取りする量も少なくなるため、加工費も削減することができる。
【００３３】
（発明の実施の形態３）
図１０は本発明の実施の形態で用いる成形装置の概略構成図、図１１〜図１４は一部を省略した成形工程図である。
成形装置は隣設した加熱炉２２と成形室２３とから構成されている。加熱炉２２内にはヒーター２４が設けられている。成形室２３内には上型２７および下型２８が設けられている。上型２７は成形室２３の上部下面に固定されている。下型２８は上下摺動可能に支持されており、下型２８の上部には下型２８の上昇を検出する光電スイッチのセンサ２９が設けられている。
【００３４】
加熱炉２２と成形室２３とを水平方向へ出入り可能な２つの搬送部材２５，２６が移動自在に設けられている。この搬送部材２５，２６は図示省略した別々のアクチュエータでそれぞれ独自に移動し、対向する端部が接近離反自在となるように支持されている。搬送部材２５，２６の対向する端部は、それぞれガラス素材の直径に合わせた曲面に形成されており、ガラス素材を載置できるように段部２５ａ，２６ａが形成されている。
【００３５】
以上の構成からなる装置を用いての成形方法は、まず成形するためのガラス素材２１としてその直径が成形型２７，２８の直径よりも小さなものを用意する。次に、加熱炉２２の近傍で搬送部材２５，２６それぞれの対向する端部を接近させ、その端部の間隔がガラス素材２１の直径よりも僅かに大きくなり、搬送部材２５，２６の段部２５ａ，２６ａにガラス素材２１を載置できる位置に停止させ、段部２５ａ，２６ａにガラス素材２１を載置する。
【００３６】
その後、ガラス素材２１を載置した状態で２つの搬送部材２５，２６を同方向へ同速度で動かし、加熱炉２２内にガラス素材２１を搬送してヒーター２４で加熱軟化する。ガラス素材２１が所望の粘度まで加熱軟化されると、再び２つの搬送部材２５，２６が同方向へ同速度で成形室２３側へ移動し、ガラス素材２１は上下の成形型２７，２８間に搬送される（図１１参照）。
【００３７】
ガラス素材２１が成形型２７，２８間に搬送されると下型２８が上昇する。この下型２８の上昇を光電スイッチのセンサ２９が検出すると、２つの搬送部材２５と２６とはそれぞれ離反する方向へ移動して成形型２７，２８から離れる（図１２参照）。２つの搬送部材２５，２６の離反により、段部２５ａ，２６ａに載置されたガラス素材２１は落下し、下型２８の成形面２８ａ上に載置される（図１３参照）。その後も２つの搬送部材２５，２６は離反を続けてその先端が成形型２７，２８の外側に退避し、下型２８が上昇を続けて上下の成形型２７，２８により押圧成形が行われる（図１４参照）。
【００３８】
以下、本発明の実施の形態の成形方法を用い、ガラス素材としてＢＡＬ４１（転移点５３５℃，屈伏点５５９℃）を成形した場合を述べる。
所望する光学素子の直径は１３ｍｍであり、成形型２７，２８の直径は１７ｍｍに加工してある。ガラス素材２１は所望の光学素子の近似形状である曲率半径ｒ＝４５，直径１５ｍｍ，厚さ４ｍｍに形成してある。このガラス素材２１を２つの搬送部材２５，２６間に載置して加熱炉２２内に搬送し、５５０℃程度に加熱する。
【００３９】
加熱後、ガラス素材２１を成形室２３内に搬送して上下の成形型２７，２８により押圧成形を行う。この時、２つの搬送部材２５，２６がそれぞれ成形型２７，２８の外側に開くことにより、成形型２７，２８の直径よりも小さな径のガラス素材２１を成形することができる。
成形後、成形されたガラス素材２１を取り出し、直径が１３ｍｍとなるように芯取りを行い、所望の光学素子を得る。
【００４０】
本発明の実施の形態によれば、ガラス素材保持部材を用いることなく成形を行うことができる。また、成形時に２つの搬送部材が成形型の外側に退避するため、成形型の直径よりも小さな径のガラス素材を成形することができる。因って、成形品の駄肉部が少なくなり、ガラス素材の材料費および成形後の加工費を削減することができる。
【００４１】
【発明の効果】
請求項１の効果は、成形型の直径よりも小さな径のガラス素材を成形することにより、成形品の駄肉部を少なくし、材料費および芯取り加工費を削減できる。請求項２の効果は、所望する光学素子の直径よりも小さな径のガラス素材を成形することにより、成形品の駄肉部を極力少なくし、材料費および芯取り加工費を大幅に削減できる。
請求項３の効果は、ガラス素材保持部材を用いることなく成形するとともに、成形型の直径よりも小さな径のガラス素材を成形することにより、成形品の駄肉部を少なくし、材料費および芯取り加工費を削減できる。
【図面の簡単な説明】
【図１】本発明の実施の形態１を示す平面図である。
【図２】本発明の実施の形態１を示す縦断面図である。
【図３】本発明の実施の形態１を示す部分斜視図である。
【図４】本発明の実施の形態１を示す概略構成図である。
【図５】本発明の実施の形態１を示す成形工程図である。
【図６】本発明の実施の形態１を示す成形工程図である。
【図７】本発明の実施の形態１を示す成形工程図である。
【図８】本発明の実施の形態１を示す成形工程図である。
【図９】本発明の実施の形態１を示す成形工程図である。
【図１０】本発明の実施の形態３を示す概略構成図である。
【図１１】本発明の実施の形態３を示す成形工程図である。
【図１２】本発明の実施の形態３を示す成形工程図である。
【図１３】本発明の実施の形態３を示す成形工程図である。
【図１４】本発明の実施の形態３を示す成形工程図である。
【図１５】従来例を示す断面図である。
【符号の説明】
１  保持部材
２  ツメ
３  バネ
４  溝
５  突起部
６  加熱炉
７  成形室
８  ヒーター
９  上型
１０  下型
１１  保持部材固定突起
１２  ガラス素材
１３  搬送部材
【図１】
0003752282.tif 000002
【図２】
0003752282.tif 000003
【図３】
0003752282.tif 000004
【図４】
0003752282.tif 000005
【図５】
0003752282.tif 000006
【図６】
0003752282.tif 000007
【図７】
0003752282.tif 000008
【図８】
0003752282.tif 000009
【図９】
0003752282.tif 000010
【図１０】
0003752282.tif 000011
【図１１】
0003752282.tif 000012
【図１２】
0003752282.tif 000013
【図１３】
0003752282.tif 000014
【図１４】
0003752282.tif 000015
【図１５】
0003752282.tif 000016